(57)【要約】【課題】光源の向きを変更可能にして対象物の美観を高めると共に、設置面に好適に配置し得る照明装置を提供する。【解決手段】複数の光源７を直線上に配置した収納体１と、収納体１を首振可能にするよう収納体１を長手方向の両端で支持する支持台座３とを備える。【選択図】図１
0003118932.tif 000002
【実用新案登録請求の範囲】
【請求項１】
複数の光源を直線上に配置した収納体と、該収納体を首振可能にするよう収納体を長手方向の両端で支持する支持台座とを備えたことを特徴とする照明装置。
【請求項２】
収納体と支持台座の支持構造は、収納体を首振可能にするよう、収納体と支持台座の一方に形成される球状突起部と、収納体と支持台座の他方に形成されて球状突起部を支持する保持部とを備え、前記球状突起部及び保持部には貫通孔を形成して光源の配線を配置したことを特徴とする請求項１記載の照明装置。
【請求項３】
支持台座を設置面に配置する取付部を備え、
前記支持台座は、外方へ張り出した角部を備え、 
前記取付部は、支持台座をスライド挿入して支持台座の角部により脱落を防止する縁側係止部を備えたことを特徴とする請求項１又は２記載の照明装置。
【請求項４】
光源を、発光ダイオード、又は所定の間隔で閃光を発するフラッシュランプにしたことを特徴とする請求項１〜３のいずれかに記載の照明装置。
【考案の詳細な説明】
【技術分野】
【０００１】
本考案は、間接照明に利用し得る照明装置に関するものである。
【背景技術】
【０００２】
間接照明に利用し得る照明装置の中には、発光ダイオード（ＬＥＤ）等の光源を直線上に複数配置したものがあり、このような照明装置を利用する際には、照明装置を壁面等に取り付け、対象物に光を照らして美観を高めるようにしている（特許文献１参照）。
【０００３】
又、他の照明装置の中には、１個の光源をブラケットにより支持し、この照明装置を利用する際には、クランプを介して壁の端部に固定し、ブラケットにより光源の向き変更可能にするものがある（特許文献２参照）。
【特許文献１】特開２００２−３５８０３５号公報
【特許文献２】特開２００２−３１３１２７号公報
【考案の開示】
【考案が解決しようとする課題】
【０００４】
しかしながら、特許文献１に示す照明装置では、光源による光の照射方向が一方向に制限されるという問題があった。又、特許文献２に示す照明装置では、設置場所がクランプ等の適用箇所に限定されるため、設置面に対して好適に配置することができないという問題があった。更に、これらの照明装置は、設置面に対して容易に着脱することができないという問題があった。
【０００５】
本考案は、斯かる実情に鑑み、光源の向きを変更可能にして対象物の美観を高めると共に、設置面に好適に配置し得る照明装置を提供しようとするものである。
【課題を解決するための手段】
【０００６】
本考案は、複数の光源を直線上に配置した収納体と、該収納体を首振可能にするよう収納体を長手方向の両端で支持する支持台座とを備えたことを特徴とする照明装置にかかるものである。
【０００７】
本考案において、収納体と支持台座の支持構造は、収納体を首振可能にするよう、収納体と支持台座の一方に形成される球状突起部と、収納体と支持台座の他方に形成されて球状突起部を支持する保持部とを備え、前記球状突起部及び保持部には貫通孔を形成して光源の配線を配置することが好ましい。
【０００８】
本考案において、支持台座を設置面に配置する取付部を備え、
前記支持台座は、外方へ張り出した角部を備え、 
前記取付部は、支持台座をスライド挿入して支持台座の角部により脱落を防止する縁側係止部を備えることが好ましい。
【０００９】
本考案において、光源を、発光ダイオード、又は所定の間隔で閃光を発するフラッシュランプにすることが好ましい。
【００１０】
本考案によれば、支持台座により収納体を長手方向の両端で支持して首振可能にするので、光源による光の照射方向を所望の角度に設定すると共に、光の最適な角度により対象物の美観を向上することができる。又、光源を配した収納体を支持台座を介して設置面に取り付けるので、クランプ等を用いることなく、収納体を設置面に好適に配置することができる。
【００１１】
本考案において、収納体と支持台座の支持構造は、収納体を首振可能にするよう、収納体と支持台座の一方に形成される球状突起部と、収納体と支持台座の他方に形成されて球状突起部を支持する保持部とを備え、球状突起部及び保持部には貫通孔を形成して光源の配線を配置すると、球状突起部と保持部を介して収納体を安定的に首振可能に配置するので、光源による光の照射方向を所望の角度に設定すると共に、光の最適な角度により対象物の美観を向上することができる。又、配線を貫通孔内に配置するので、収納体の首振時に配線が支持構造に絡み付くことを防止し、収納体を好適に首振可能にすることができる。
【００１２】
本考案において、支持台座を設置面に配置する取付部を備え、支持台座は、外方へ張り出した角部を備え、取付部は、支持台座をスライド挿入して支持台座の角部により脱落を防止する縁側係止部を備えると、取付部を介して支持台座を設置面に設置するので、クランプ等を用いることなく、収納体を設置面に好適に配置することができる。又、取付部に支持台座をスライド挿入し、縁側係止部により支持台座の角部を支持して脱落を防止するので、支持台座を設置面に容易に着脱することができる。
【００１３】
本考案において、光源を、発光ダイオード、又は所定の間隔で閃光を発するフラッシュランプにすると、種々の光源を使用し得るので、光を照らす対象物の美観を向上することができる。
【考案の効果】
【００１４】
本考案の照明装置によれば、支持台座により収納体を長手方向の両端で支持して首振可能にするので、光源の向きを変更可能にして対象物の美観を高めると共に、設置面に好適に配置することができるという優れた効果を奏し得る。
【考案を実施するための最良の形態】
【００１５】
以下、本考案の実施の形態を図面を参照して説明する。
【００１６】
図１は本考案を実施する形態例を示す概念図であり、図２は本考案を実施する形態例を示す側面図であり、図３は収納体と支持部の支持構造を示す断面図であり、図４は本考案を着脱可能にする構成の一例を示す概念図であり、図５は本考案を着脱可能にする構成の他例を示す概念図である。
【００１７】
本考案の形態例の照明装置は、図１〜図４に示す如く、ロッド状に延在して形成される収納体１と、収納体１をロッドの長手方向の両端で支持構造２を介して支持する支持台座３と、設置面（図示せず）に支持台座３を取り付ける取付部４とを備えている。
【００１８】
収納体１は、筒状のハウジング５内に電気設置部６を設けて発光ダイオード（ＬＥＤ）の光源７を直線上に複数並べて配置し、ハウジング５には、長手方向に沿って形成される開口に透明なレンズ面８を設置して発光ダイオードの光源７から光を照射し得るようにし、ハウジング５及びレンズ面８の両端には、ハウジング５及びレンズ面８を固定するキャップ状の固定部９を配置している。ここで、ハウジング５は、発光ダイオードの電気設置部６や配線１０を隠すように黒等の有色であることが好ましく、光源７は、発光ダイオードの代わりに、所定の間隔で閃光を発するフラッシュランプでも良い。
【００１９】
支持台座３は、外側端面１１の周囲に位置する外周面１２を、平面状の摺動面１３と、摺動面１３の両側に外方へ張り出した角部１４を形成するよう摺動面１３の両端から延在する両側の側面１５と、両側の側面１５から延在する湾曲上面１６とから構成しており、外側端面１１には、コネクタ（図示せず）を接続する接続穴１７を配置している。
【００２０】
又、収納体１と支持台座３を接続する支持構造２は、収納体１を３６０°回転可能にするよう、収納体１の端面に、長手方向の外側へ延在する球状突起部１８を形成すると共に、支持台座３の内部に、球状突起部１８を軸転可能に内嵌して支持する筒状の保持部１９を形成しており、更に、球状突起部１８及び保持部１９には、貫通孔２０を形成して電気設置部６の配線１０を配置している。ここで、支持台座３の保持部１９は、外側端面１１の裏面から延在する固定部２１により固定されており、更に固定部９の下部には、コネクタの接続部２２を設け、配線１０を接続している。
【００２１】
一方、支持台座３を設置面に配置する取付部４は、ボルト孔２３にボルト等を配して若しくは両面テープ等を介して設置面に取り付ける台座プレート２４と、支持台座３の摺動面１３に対応するよう台座プレート２４の中央に配置される平面状の受け面２５と、受け面２５の両端を屈曲して形成される縁側係止部２６とを備えている。
【００２２】
以下、本考案を実施する形態例の作用を説明する。
【００２３】
パチンコやスロット等の遊戯台の上面（設置面）に照明装置を設置する際には、取付部４を遊戯台の上面に予め取り付けておき、図４に示す如く、支持台座３を側方から取付部４にスライドして挿入し、支持台座３の摺動面１３を取付部４の受け面２５に対応させると共に、縁側係止部２６により支持台座３の角部１４を挟み込んで支持台座３の脱落を防止する。
【００２４】
次に、照明装置を点灯する際には、球状突起部１８及び保持部１９の支持構造２により収納体１を支持台座３に対して首振りし、光源７の照射方向を所望の角度に調整し、支持台座３の接続穴１７に接続したコネクタを電源に接続してスイッチを入れ、対象物等へ向けて光を照射する。なお、照明装置は、複数用いて直列もしくは並列に配置しても良いし、制御回路（図示せず）を用いて一定のパターンで点灯するようにしても良い。
【００２５】
パチンコやスロット等の遊戯台の上面（設置面）に照明装置を取り外す際には、支持台座３を取付部４から逆方向にスライドして取り外す。
【００２６】
ここで、照明装置の設置面は、遊戯台の上面に限定されるものではなく、図５に示す如く遊戯台の下面や、垂直な壁面にし、収納体１の首振りにより、光の照射方向を調整するようにしても良い。
【００２７】
このように、本考案を実施する形態例の照明装置によれば、支持台座３により収納体１を長手方向の両端で支持して首振可能にするので、光源７による光の照射方向を所望の角度に設定すると共に、光の最適な角度により対象物の美観を向上することができる。又、光源７を配した収納体１を支持台座３を介して遊戯台等の設置面に取り付けるので、クランプ等を用いることなく、収納体１を遊戯台等の設置面に好適に配置することができる。
【００２８】
本考案の形態例において、収納体１と支持台座３の支持構造２は、収納体１を首振可能にするよう、収納体１と支持台座３の一方に形成される球状突起部１８と、収納体１と支持台座３の他方に形成されて球状突起部１８を支持する保持部１９とを備え、球状突起部１８及び保持部１９には貫通孔２０を形成して光源７の配線１０を配置すると、球状突起部１８と保持部１９を介して収納体１を安定的に首振可能に配置するので、光源７による光の照射方向を所望の角度に設定すると共に、光の最適な角度により対象物の美観を向上することができる。又、配線１０を貫通孔２０内に配置するので、収納体１の首振時に配線１０が支持構造２に絡み付くことを防止し、収納体１を好適に首振可能にすることができる。
【００２９】
本考案の形態例において、支持台座３を設置面に配置する取付部４を備え、支持台座３は、外方へ張り出した角部１４を備え、 取付部４は、支持台座３をスライド挿入して支持台座３の角部１４により脱落を防止する縁側係止部２６を備えると、取付部４を介して支持台座３を設置面に設置するので、クランプ等を用いることなく、収納体１を遊戯台等の設置面に好適に配置することができる。又、取付部４に支持台座３をスライド挿入し、縁側係止部２６により支持台座３の角部１４を支持して脱落を防止するので、支持台座３を設置面に容易に着脱することができる。
【００３０】
本考案の形態例において、光源７を、発光ダイオード、又は所定の間隔で閃光を発するフラッシュランプにすると、種々の光源７を使用し得るので、光を照らす対象物の美観を向上することができる。
【００３１】
尚、本考案の照明装置は、上述の図示例にのみ限定されるものではなく、収納体を長手方向の両端で支持して収納体を首振りし得るものならば他の構成でも良いこと、その他、本考案の要旨を逸脱しない範囲内において種々変更を加え得ることは勿論である。
【図面の簡単な説明】
【００３２】
【図１】本考案を実施する形態例を示す概念図である。
【図２】本考案を実施する形態例を示す側面図である。
【図３】収納体と支持部の支持構造を示す断面図である。
【図４】本考案を着脱可能にする構成の一例を示す概念図である。
【図５】本考案を着脱可能にする構成の他例を示す概念図である。
【符号の説明】
【００３３】
１  収納体
２  支持構造
３  支持台座
４  取付部
７  光源
１０  配線
１４  角部
１８  球状突起部
１９  保持部
２６  縁側係止部
【図１】
0003118932.tif 000003
【図２】
0003118932.tif 000004
【図３】
0003118932.tif 000005
【図４】
0003118932.tif 000006
【図５】
0003118932.tif 000007